(57)【要約】【課題】  風量に対する静圧の値を低下させることなく、騒音及び消費電力を低下させられる遠心ファンを提供する。【解決手段】  インペラ５を、インペラ本体３７と、複数本のステム３９と、ブレード取付部材４１と、複数枚のブレード４３とから構成する。ステム３９は、インペラ本体３７の周壁３７ｂの吸引口１１ａ寄りの周壁部分に一端が固定されて放射状に延び且つ周壁３７ｂの周方向に間隔をあけて配置されている。ステム３９は、インペラ５が回転しているときに、吸引口１１ａを通して軸線方向に空気を吸い込むことを補助する。ブレード取付部材４１は、インペラ本体３７の周壁３７ｂと同心的に配置されて複数本のステム３９の他端が固定されている。ブレード４３は、ブレード取付部材４１に一端が固定され、周方向に間隔をあけて配置されて軸線に沿って第２の壁部１３側に延びている。【選択図】  図２
2010216462.tif 000002
【特許請求の範囲】
【請求項１】
複数枚のブレードを備え且つ電動モータの回転軸に固定されて回転するインペラと、
前記回転軸の軸線方向に向かって開口する吸引口と前記インペラの回転方向に対する接線方向に向かって開口する吐出口を備えたケーシングとを備えた遠心ファンであって、
前記インペラは、前記回転軸の軸線に沿って延び且つ前記回転軸を回転中心として回転する筒状の周壁を備えたインペラ本体と、前記周壁の前記吸引口寄りの周壁部分に一端が固定され且つ前記回転軸の回転方向に間隔をあけて配置された複数本のステムと、前記周壁の径方向の外側の位置に前記周壁と同心的に配置されて前記複数本のステムの他端が固定された環状のブレード取付部材と、前記ブレード取付部材に一端が固定され、前記回転方向に間隔をあけて配置されて前記軸線に沿って延び、前記吸引口から軸線方向に空気を吸い込んだ後に吸い込んだ前記空気を前記径方向に向ける複数枚のブレードとを備えていることを特徴とする遠心ファン。
【請求項２】
複数枚のブレードを備え且つ電動モータの回転軸に固定されて回転するインペラと、
前記回転軸の軸線方向に向かって開口する吸引口を有するケーシングとを備えた遠心ファンであって、
前記インペラは、前記回転軸を回転中心として回転するインペラ本体と、前記インペラ本体の前記吸引口寄りの部分に一端が固定され且つ前記回転軸の回転方向に間隔をあけて配置された複数本のステムと、前記インペラ本体の径方向の外側の位置に前記インペラ本体と同心的に配置されて前記複数本のステムの他端が固定された環状のブレード取付部材と、前記ブレード取付部材に一端が固定され、前記回転方向に間隔をあけて配置されて前記回転軸の軸線に沿って延びる複数枚のブレードとを備えていることを特徴とする遠心ファン。
【請求項３】
前記複数本のステムの形状が、前記インペラが正転方向に回転しているときに、前記吸引口を通して前記軸線方向に空気を吸い込むことを補助するように定められていることを特徴とする請求項１または２に記載の遠心ファン。
【請求項４】
前記ステムの長手方向と直交する方向に前記ステムを切断したときに断面形状が、前記インペラの正転方向とは逆の方向に向かって凸となるように湾曲した湾曲形状を有している請求項３に記載の遠心ファン。
【請求項５】
前記ステムは、前記吸込口側に位置する第１の端縁部と前記吸込口とは反対側に位置する第２の端縁部とを有しており、
前記第１の端縁部が前記第２の端縁部よりも、前記インペラの前記正転方向にシフトしている請求項４に記載の遠心ファン。
【請求項６】
前記ステムの長手方向と直交する方向に前記ステムを切断したときの断面形状が、前記軸線方向を長手方向とする矩形形状を有している請求項１または２に記載の遠心ファン。
【請求項７】
前記ケーシングは、前記吸引口が形成された第１の壁部と、前記インペラを間に介して前記第１の壁部と対向する第２の壁部と、前記第１の壁部と前記第２の壁部とを連結する第３の壁部とからなり、
前記複数本のステムの前記他端は、前記吸引口の開口縁部を前記径方向の外側に越えた位置で終端しており、
前記環状のブレード取付部材は、前記開口縁部よりも前記径方向の外側に位置して、前記第１の壁部と対向する第１の側面と、該第１の側面と前記軸線方向に対向する第２の側面とを有しており、
前記環状のブレード取付部材の前記第１の側面は、前記第１の壁部との間の距離が、前記径方向の外側に向かうに従って大きくなり且つ前記第２の壁部に向かって凸となるように湾曲した形状を有している請求項１または２に記載の遠心ファン。
【請求項８】
前記第２の側面は、前記第１の側面と平行に延びる湾曲面形状を有しており、
前記複数枚のブレードのそれぞれの前記一端が前記第２の側面に固定されている請求項７に記載の遠心ファン。
【請求項９】
前記複数枚のブレードの少なくとも一部は、前記環状のブレード取付部材の前記第２の側面に沿う第１の辺部と、前記ケーシングの前記第３の壁部と対向し且つ前記複数枚のブレードが固定される一端から前記軸線方向に延びる第２の辺部と、前記第２の辺部よりも前記径方向の内側に位置する第３の辺部と、前記ケーシングの前記第２の壁部と対向する第４の辺部とを備えており、
前記第３の辺部は、前記第１の辺部に連続する第１の辺半部と該第１の辺半部と連続し且つ前記第４の辺部と連続する第２の辺半部とを備えており、前記第１の辺半部は前記第２の辺部との間の距離が前記第２の辺半部に向かうに従って広がるように傾斜しており、
前記第２の辺半部は前記第２の辺部と平行に延びている請求項８に記載の遠心ファン。
【発明の詳細な説明】
【技術分野】
【０００１】
本発明は、遠心ファンに関するものである。
【背景技術】
【０００２】
特開２００６−７７６３１号公報に示されたシロッコファンと呼ばれる遠心ファンは、複数枚のブレードを備え且つ電動モータの回転軸に固定されて回転するインペラと、回転軸の軸線方向に向かって開口する吸引口とインペラの回転方向に対する接線方向に向かって開口する吐出口を備えたケーシングとを備えている。ケーシングは、吸引口が形成された第１の壁部と、第１の壁部と対向する第２の壁部と、吐出口を備えて第１の壁部と第２の壁部とを連結する第３の壁部とを有している。インペラは、回転軸を回転中心として回転する筒状の周壁を備えたインペラ本体と、該インペラ本体に固定されて複数枚のブレードを支持するブレード支持体とを有している。ブレード支持体は、中心に開口部を有する円板形状を有している。ブレード支持体は、開口部の周囲がインペラ本体の周壁に固定されており、径方向の外側端部に複数枚のブレードが固定されている。複数枚のブレードは、ブレード支持体の外側端部からケーシングの第１の壁部に向かって延びている。また、複数枚のブレードの第１の壁部側の端部は、インペラ本体の周壁と同心的に配置された環状のブレード取付部材に固定されている。
【先行技術文献】
【特許文献】
【０００３】
【特許文献１】特開２００６−７７６３１号公報
【発明の概要】
【発明が解決しようとする課題】
【０００４】
このような遠心ファンでは、風量に対する静圧の値を低下させることなく（風量・静圧特性を低下させることなく）、騒音及び消費電力を低下させることが求められている。
【０００５】
本発明の目的は、風量に対する静圧の値を低下させることなく（風量・静圧特性を低下させることなく）、騒音及び消費電力を低下させることができる遠心ファンを提供することにある。
【課題を解決するための手段】
【０００６】
本発明が改良の対象とする遠心ファンは、複数枚のブレードを備え且つ電動モータの回転軸に固定されて回転するインペラと、回転軸の軸線方向に向かって開口する吸引口を有するケーシングとを備えている。本発明では、インペラは、インペラ本体と、複数本のステムと、環状のブレード取付部材と、複数枚のブレードとを備えている。インペラ本体は、回転軸を回転中心として回転する。複数本のステムは、インペラ本体の吸引口寄りの部分に一端が固定され且つ回転軸の回転方向に間隔をあけて配置されている。環状のブレード取付部材は、インペラ本体の径方向の外側の位置にインペラ本体と同心的に配置されており、複数本のステムの他端が固定されている。複数枚のブレードは、ブレード取付部材に一端が固定され、回転方向に間隔をあけて配置されて回転軸の軸線に沿って延びている。本発明の構成では、吸引口側に位置するブレード取付部に複数枚のブレードの一端が固定された状態で、複数枚のブレードが配置される。したがってケーシング内の吸引口と軸線方向に対向する位置には、複数枚のブレードを取り付ける部材は存在しない。そのため吸引口からケーシング内に吸引された空気の一部は、吸引口と対向するケーシングの内壁面に当たった後、径方向に向けられて吐出されることになる。
【０００７】
より具体的には、本発明が改良の対象とする遠心ファンは、複数枚のブレードを備え且つ電動モータの回転軸に固定されて回転するインペラと、回転軸の軸線方向に向かって開口する吸引口とインペラの回転方向に対する接線方向に向かって開口する吐出口を備えたケーシングとを備えている。本発明では、インペラは、インペラ本体と、複数本のステムと、環状のブレード取付部材と、複数枚のブレードとを備えている。インペラ本体は、回転軸の軸線に沿って延び且つ回転軸を回転中心として回転する筒状の周壁を備えている。複数本のステムは、周壁の吸引口寄りの周壁部分に一端が固定され且つ回転軸の回転方向に間隔をあけて配置されている。環状のブレード取付部材は、周壁の径方向の外側の位置に周壁と同心的に配置されて複数本のステムの他端が固定されている。複数枚のブレードは、ブレード取付部材に一端が固定され、回転方向に間隔をあけて配置されて軸線に沿って延び、吸引口から軸線方向に空気を吸い込んだ後に吸い込んだ空気を径方向の外側に向ける。
【０００８】
本発明のように、吸引口寄りに位置する複数本のステムにより支持された環状のブレード取付部材に複数枚のブレードを取り付けると、吸引口から吐出口への空気の流れがスムーズなものとなる。またブレード上に渦流が発生することを抑制できる。そのため、騒音を低下させることができる。また、本発明によれば、インペラが正転方向に回転する際の空気の抵抗を小さくできるため消費電力を低くすることができる。特に、複数本のステムを、吸引口の近傍に配置されて、軸線方向に空気を吸い込むことを補助するように構成すると、風量に対して静圧が大きく低下すること（風量−静圧特性が低下すること）を抑制することができる。
【０００９】
複数本のステムの形状は、任意である。しかし複数本のステムの形状はインペラが正転方向に回転しているときに、吸引口を通して軸線方向に空気を吸い込むことを補助するように定めるのが好ましい。このようにすれば、複数本のステムにより、吸引口から吐出口への空気の流れがよりスムーズなものとなる。
【００１０】
軸線方向に空気を吸い込む（送り込む）のに適したステムの形状は、種々のものを採用できる。例えば、長手方向と直交する方向にステムを切断した場合の断面形状が、インペラの正転方向とは逆の方向（逆転方向）に向かって凸となるように湾曲した湾曲形状を有するようにできる。このようにすれば、一般的な軸流送風機のブレードと同様に、軸線方向に流す空気の量を増大させることができる。
【００１１】
また、ステムは、吸込口側に位置する第１の端縁部と吸込口とは反対側に位置する第２の端縁部とを有しており、第１の端縁部が第２の端縁部よりも、インペラの正転方向にシフトしている。このようにすれば、ステムにより、吸引口を通して軸線方向に積極的に空気を吸い込むことができる。
【００１２】
また、ステムは、ステムの長手方向と直交する方向にステムを切断したときの断面形状が、軸線方向を長手方向とする矩形形状を有しているような形状に形成できる。このようにすれば、ステムを単純な形状にして容易に形成することができる。
【００１３】
ケーシングは、吸引口が形成された第１の壁部と、インペラを間に介して第１の壁部と対向する第２の壁部と、第１の壁部と第２の壁部とを連結する第３の壁部とから構成することができる。そして、複数本のステムの他端は、吸引口の開口縁部を越えた位置で終端しており、環状のブレード取付部材は、開口縁部よりも径方向の外側に位置して、第１の壁部と対向する第１の側面と、該第１の側面と軸線方向に対向する第２の側面とを有するように構成できる。この場合において、環状のブレード取付部材の第１の側面は、第１の壁部との間の距離が、径方向の外側に向かうに従って大きくなり且つ第２の壁部に向かって凸となるように湾曲した形状を有するように構成できる。このようにすれば、空気の流れがスムーズになることにより、音圧レベルを下げることができる。
【００１４】
また環状のブレード取付部材の第２の側面を、第１の側面と平行に延びる湾曲面形状として、複数枚のブレードのそれぞれの一端を第２の側面に固定すると、環状のブレード取付部材の第２の側面に沿って、空気を複数枚のブレード間にスムーズにガイドすることができる。
【００１５】
さらに複数枚のブレードの少なくとも一部は、環状のブレード取付部材の第２の側面に沿う第１の辺部と、ケーシングの第３の壁部と対向し且つ複数枚のブレードが固定される一端から軸線方向に延びる第２の辺部と、第２の辺部よりも径方向の内側に位置する第３の辺部と、ケーシングの第２の壁部と対向する第４の辺部とを備た構造とすることができる。この場合、第３の辺部は、第１の辺部に連続する第１の辺半部と該第１の辺半部と連続し且つ第４の辺部と連続する第２の辺半部とを備えており、第１の辺半部は第２の辺部との間の距離が第２の辺半部に向かうに従って広がるように傾斜しており、第２の反半部は第２の辺部と平行に延びているのが好ましい。このようにすれば、傾斜する第１の辺半部と吸引口との間にスペースを確保できるため、吸引口を通して軸方向に空気が吸い込まれた空気が、径方向に向きを変える際に、スムーズに向きを変更することができる。
【図面の簡単な説明】
【００１６】
【図１】本発明の遠心ファンの一実施の形態の平面図である。
【図２】図１のII−II線断面図である。
【図３】図１のIII−III線断面図である。
【図４】本発明の他の実施の形態の遠心ファンのステムの断面図である。
【図５】試験に用いた比較例の遠心ファンの部分断面図である。
【図６】試験に用いた遠心ファンにおける風量と静圧との関係及び風量と騒音との関係を示すグラフである。
【図７】試験に用いた遠心ファンにおける風量と静圧との関係及び風量と消費電力との関係を示すグラフである。
【発明を実施するための形態】
【００１７】
以下、図面を参照して本発明の実施の形態の一例を詳細に説明する。図１は、本発明の遠心ファンの一実施の形態の平面図であり、図２は図１のII−II線断面図である。本例の遠心ファン（シロッコファン）は、ケーシング１と、ケーシング１内に配置された電動モータ３及びインペラ５とを備えている。図２に示すように、ケーシング１は、二つ割りの第１及び第２のケーシング半部７及び９が組み合わされて構成されている。ケーシング１は、第１及び第２のケーシング半部７及び９が組み合わされた状態で、第１の壁部１１と、インペラ５を間に介して第１の壁部１１と対向する第２の壁部１３と、第１の壁部１１と第２の壁部１３とを連結する第３の壁部１５とを有している。第１の壁部１１の中央には、外部から空気を吸引する円形の吸引口１１ａが形成されている。第３の壁部１５には、インペラ５の回転方向に対する接線方向に向かって開口して空気を外部に吐出する吐出口１５ａが形成されている。また、第１〜第３の壁部１１〜１５で囲まれた領域の一部により、吐出口１５ａまでインペラ５から吐出された空気を導く風路が形成されている。
【００１８】
ケーシング１内に配置された電動モータ３は、ステータ１９と回転軸２１とを有している。ステータ１９は、回転軸２１を回転自在に支持する２つのボールベアリング２２及び２３が嵌合されて保持されるベアリングホルダ２５の外側に嵌合されている。このステータ１９は、ベアリングホルダ２５の外側に配置されたステータコア２７と、このステータコア２７に嵌合された絶縁樹脂製のインシュレータ２９と、このインシュレータ２９を間に介してステータコア２７の複数の突極部に巻装されたステータ巻線３１とから構成されている。ステータ巻線３１は接続導体を介して回路基板３５の図示しない回路パターンに電気的に接続されている。回路基板３５には、ステータ巻線３１に励磁電流を流すための駆動回路が実装されている。
【００１９】
電動モータ３により回転させられるインペラ５は、合成樹脂によって成形されており、インペラ本体３７と、１１本のステム３９と、ブレード取付部材（シュラウド）４１と、４４枚のブレード（３３枚の第１のブレード４３及び１１枚の第２のブレード４４）とを一体に有している。インペラ本体３７は、回転軸２１に中央部が固定された底壁３７ａと、回転軸２１の軸線に沿って延び且つ回転軸２１を回転中心として回転する筒状の周壁３７ｂとを備えている。本例では、インペラ５は、図１の紙面に対して反時計回り（矢印Ｄ１）方向を正転方向として回転する。
【００２０】
１１本のステム３９は、インペラ本体３７の周壁３７ｂの吸引口１１ａ寄りの周壁部分に一端が固定されて放射状に延び且つ周壁３７ｂの周方向（インペラ５の回転方向）に間隔をあけて配置されている。なお放射状に延びるとは、完全な径方向に延びる場合だけでなく、完全な径方向に対して傾斜して（所定の角度を持って）延びる場合も含まれるものである。ステム３９の他端は、吸引口１１ａの開口縁部１１ｂを径方向の外側に越えた位置で終端している。
【００２１】
図３の断面図に示すように、ステム３９の長手方向と直交する方向にステム３９を切断した場合の断面形状は、インペラ５の正転方向（矢印Ｄ１）とは逆の方向に向かって凸となるように湾曲した湾曲形状を有している。また、ステム３９は、吸込口１１ａ側に位置する第１の端縁部３９ａとインペラ５側に位置する第２の端縁部３９ｂとを有しており、第１の端縁部３９ａが第２の端縁部３９ｂよりも、インペラ５の正転方向（矢印Ｄ１）にシフトしている。このようなステム３９の形状により、ステム３９は、インペラ５が回転しているときに、吸引口１１ａを通して軸線方向に空気を吸い込むことを補助する。
【００２２】
ブレード取付部材４１は、環状の形状を有しており、吸引口１１ａの開口縁部１１ｂよりも径方向外側に位置している。そして、ブレード取付部材４１は、周壁３７ｂの径方向外側の位置に周壁３７ｂと同心的に配置されて複数本のステム３９の他端が固定されている。図２のブレード取付部材４１に示すように、ブレード取付部材４１は、ケーシング１の第１の壁部１１と対向する第１の側面４１ａと、該第１の側面４１ａと軸線方向に対向する第２の側面４１ｂとを有している。第１の側面４１ａは、第１の壁部１１との間の距離が、径方向外側に向かうに従って大きくなり且つ第２の壁部１３に向かって凸となるように湾曲した形状を有している。第２の側面４１ｂは、第１の側面４１ａと平行に延びる湾曲面形状を有している。
【００２３】
３３枚の第１のブレード４３と１１枚の第２のブレード４４とは、ブレード取付部材４１に一端が固定され、周方向に間隔をあけて配置されて、軸線に沿って第２の壁部１３側に延びている。３３枚の第１のブレード４３は、隣接する２つのステム３９の間に３つずつ配置されている。第１のブレード４３は、図２の紙面に向かって右側の第１のブレード４３に示すように、ブレード取付部材４１の第２の側面４１ｂに沿う第１の辺部４３ａと、ケーシング１の第３の壁部１５と対向し且つブレード取付部材４１に固定された一端から軸線方向に延びる第２の辺部４３ｂと、第２の辺部４３ｂよりも径方向内側に位置する第３の辺部４３ｃと、ケーシング１の第２の壁部１３と対向する第４の辺部４３ｄとを備えている。第３の辺部４３ｃは、第１の辺部４３ａに連続する第１の辺半部４３ｅと該第１の辺半部４３ｅと連続し且つ第４の辺部４３ｄと連続する第２の辺半部４３ｆとを備えている。第１の辺半部４３ｅは、第２の辺部４３ｂとの間の距離が第２の辺半部４３ｆに向かうに従って広がるように傾斜している。第２の辺半部４３ｆは第２の辺部４３ｂと平行に延びている。
【００２４】
１１枚の第２のブレード４４は、図２の紙面に向かって左側の第２のブレード４４に示すように、１１本のステム３９の径方向外側にそれぞれ配置されている。第２のブレード４４は、ブレード取付部材４１の第２の側面４１ｂに沿う第１の辺部４４ａと、ケーシング１の第３の壁部１５と対向し且つブレード取付部材４１に固定された一端から軸線方向に延びる第２の辺部４４ｂと、第２の辺部４４ｂよりも径方向内側に位置してインペラ本体３７の周壁３７ｂと平行に延びる第３の辺部４４ｃと、ケーシング１の第２の壁部１３と対向する第４の辺部４４ｄとを備えている。ブレード４３，４４は、吸引口１１ａから軸線方向に空気を吸い込んだ後に吸い込んだ空気を径方向に向ける役割を果たしている。
【００２５】
上記例で用いたステム３９は、長手方向と直交する方向に切断した断面形状が湾曲形状を有しているが、ステムとしては種々の形状のものを採用できる。例えば、図４に示すように、ステム１３９の長手方向と直交する方向にステム１３９を切断したときの断面形状が、矩形形状を有しているものも採用できる。このステム１３９は、２つの幅寸法の短かい対向する面１３９ａ，１３９ｂと幅寸法の長い２つの対向する面１３９ｃ，１３９ｄとを有している。幅寸法の長い２つの面１３９ｃ，１３９ｄは、軸線方向に延びている。このため、ステム１３９の断面形状は、軸線方向を長手方向とする矩形形状を有している。
【００２６】
次に、実施例１及び２の遠心ファンを５１００ｍｉｎ−１で回転し、比較例の遠心ファンを５０００ｍｉｎ−１で回転して、実施例１及び２及び比較例の遠心ファンにおける風量と静圧との関係及び風量と騒音との関係を調べた。実施例１の遠心ファンは、図１〜３に示す遠心ファンであり、実施例２の遠心ファンは、図４に示す矩形形状の断面のステムを用い、その他は実施例１の遠心ファンと同じ構造を有している。比較例の遠心ファンは、図５に示すように、４４枚のブレード及び４４枚のブレードを支持する構造が実施例の遠心ファンと異なっており、その他は、実施例の遠心ファンと同じ構造を有している。比較例の遠心ファンの４４枚のブレード２４３を支持するブレード支持体２３９は、中心に開口部２３９ａを有する円板形状を有している。ブレード支持体２３９は、開口部２３９ａの周囲がインペラ本体２３７の第２の壁部２１３側に位置する部分に固定されており、径方向の外側端部２３９ｂに３３枚のブレード２４３が固定されている。ブレード２４３は、矩形状を有しており、ブレード支持体２３９の外側端部２３９ｂからケーシング２０１の第１の壁部２１１に向かって延びている。
【００２７】
図６は、測定結果を示すグラフである。図６より、実施例１及び２の遠心ファンと比較例の遠心ファンは、風量に対する静圧の値はほぼ等しい（風量・静圧特性がほぼ等しい）のが分かる。そして、実施例１及び２の遠心ファンは、比較例の遠心ファンに比べて騒音を下げられるのが分かる。特に断面形状が湾曲形状を有しているステム３９を用いた実施例１の遠心ファンは、最大風量で４ｄＢ（Ａ）下げられるのが分かる。これは、１１本のステム３９とブレード取付部材４１と４４枚のブレード４３，４４の構造により、吸引口１１ａから吐出口１５ａへの空気の流れがスムーズなものとなり、渦流の発生を抑制できるためである。
【００２８】
次に、実施例１及び２、並びに比較例の遠心ファンにおける風量と静圧との関係及び風量と消費電力との関係を調べた。図７は、測定結果を示すグラフである。本図より、実施例１及び２の遠心ファンと比較例の遠心ファンは、風量に対する静圧の値はほぼ等しい（風量・静圧特性がほぼ等しい）のが分かる。そして、実施例１及び２の遠心ファンは、比較例の遠心ファンに比べて消費電力が小さくできるのが分かる。特に、実施例１の遠心ファンは、最大風量で１９％下げられるのが分かる。これは、１１本のステム３９と４４枚のブレード４３，４４とにより、吸引口１１ａから吐出口１５ａへの空気の流れがスムーズなものとなり、４４枚のブレード４３，４４に対する空気の抵抗が小さくなったためである。
【産業上の利用可能性】
【００２９】
本発明によれば、吸引口寄りに設けられた複数本のステムに固定された環状のブレード取付部材に複数枚のブレードを設けたので、吸引口から吐出口への空気の流れがスムーズなものとなる。また、ブレード上に渦流が発生することを抑制できる。そのため、騒音を低下させることができる。また複数本のステムを、軸線方向に空気を吸い込むことを補助するように構成すれば、風量に対する静圧の値が低下すること（風量・静圧特性が低下すること）なく、騒音及び消費電力を低下させることができる。
【符号の説明】
【００３０】
１  ケーシング
３  電動モータ
５  インペラ
１１  第１の壁部
１１ａ  吸引口
１１ｂ  開口縁部
１３  第２の壁部
１５  第３の壁部
１５ａ  吐出口
２１  回転軸
３７  インペラ本体
３７ｂ  周壁
３９，１３９  ステム
３９ａ  第１の端縁部
３９ｂ  第２の端縁部
４１  ブレード取付部材
４３，４４  ブレード
【図１】
2010216462.tif 000003
【図２】
2010216462.tif 000004
【図３】
2010216462.tif 000005
【図４】
2010216462.tif 000006
【図５】
2010216462.tif 000007
【図６】
2010216462.tif 000008
【図７】
2010216462.tif 000009